(57)【要約】【課題】本発明は、集水ますの施工面からの距離を容易に施工現場で調整でき、集水ますと竪樋の位置を合致させることができる集水ます取付装置を提供することをその課題とする。【解決手段】集水ます本体の取付面１４の周縁部分に外方へ突出した鍔状フランジを形成し、該鍔状フランジを外方で且つ取付面１４側へ傾斜させ嵌合凸部１２を形成して集水ます１０を構成し、固定板部２の両横側端より施工面とは反対方向にバネ性支持板３、４を形成すると共にバネ性支持板３、４の内面に相対向して上下方向に複数の嵌合溝５、６を並設して取付具１を構成し、取付具１を施工面にビスで固定して取り付け、取付具１の嵌合溝５、６に集水ます１０の嵌合凸部１２を嵌合保持せしめてなるものである。【選択図】図７
2007169933.tif 000002
【特許請求の範囲】
【請求項１】
集水ます本体の取付面の周縁部分に外方へ突出した鍔状フランジを形成し、該鍔状フランジを外方で且つ取付面側へ傾斜させ嵌合凸部を形成して集水ますを構成し、固定板部の両横側端より施工面とは反対方向にバネ性支持板を形成すると共にバネ性支持板の内面に相対向して上下方向に複数の嵌合溝を並設して取付具を構成し、取付具を施工面にビスで固定して取り付け、取付具の嵌合溝に集水ますの嵌合凸部を嵌合保持せしめてなる集水ます取付装置。
【発明の詳細な説明】
【技術分野】
【０００１】
本発明は、集水ますを施工面である壁面（垂直面）に取り付けるものであって、施工面である壁面からの距離を調節して集水ますを取り付けることができる集水ます取付装置に関するものである。さらに詳しくは、まず取付具を施工面に固定し、この固定した取付具に集水ますを嵌合保持せしめるもので嵌合深さにより壁面からの距離を調節して集水ますを取り付けることができる集水ます取付装置に関するものである。
【背景技術】
【０００２】
従来から、取付板（取付具）と集水ますからなる集水ます取付装置は知られている（特許文献１）。この従来の集水ます取付装置は集水ますを正確、安全、容易に取り付けることを目的としてなされたもので、具体的には、取付板を施工面に固着し取付板に形成されたフックを集水ますの挿通孔に挿入係止するもので、重量があり、大きな集水ますを直接施工面に固着する困難さを解決したものであり、又取付板の固着孔の位置により集水ますの位置を調整するものである。
【特許文献１】特開２０００−５４５７６号公報（請求項１）、（図１）
【発明の開示】
【発明が解決しようとする課題】
【０００３】
上記従来の集水ます取付装置では、取付板と集水ますで構成される集水ます取付装置であるが集水ますの施工面からの距離を調整するものではなかった。集水ますの施工面（壁面）からの距離は集水ますに接続される竪樋の位置と合致する必要があるが竪樋は施工面に固定された控金具により支持されており、施工面である壁面が波打つ状態があって集水ますと竪樋の位置が合致しないことが施工現場ではしばしば生じることであった。このために、施工現場では集水ますと竪樋の位置を合致させる必要性があった。
【０００４】
本発明は、集水ますの施工面からの距離を容易に施工現場で調整でき、集水ますと竪樋の位置を合致させることができる集水ます取付装置を提供することをその課題とするものである。
【課題を解決するための手段】
【０００５】
上記課題を解決するために、本発明に係る集水ます取付装置は、請求項１に記載した如く、集水ます本体の取付面の周縁部分に外方へ突出した鍔状フランジを形成し、該鍔状フランジを外方で且つ取付面側へ傾斜させ嵌合凸部を形成して集水ますを構成し、固定板部の両横側端より施工面とは反対方向にバネ性支持板を形成すると共にバネ性支持板の内面に相対向して上下方向に複数の嵌合溝を並設して取付具を構成し、取付具を施工面にビスで固定して取り付け、取付具の嵌合溝に集水ますの嵌合凸部を嵌合保持せしめてなることを特徴とするものである。
【発明の効果】
【０００６】
請求項１に記載の集水ます取付装置は、集水ますと取付具で構成され、施工面に取り付けされた取付具に集水ますを嵌合保持することにより取り付けるために嵌合深さにより集水ますの施工面からの距離を調整することができるものである。即ち、集水ます本体の取付面の周縁部分に外方へ突出した鍔状フランジを形成し、該鍔状フランジを外方で且つ取付面側へ傾斜させ嵌合凸部を形成して集水ますを構成する。この集水ますでは該鍔状フランジを外方で且つ取付面側へ傾斜させ嵌合凸部を形成しているために施工面に該嵌合凸部を直接ビス止めすることにより取り付けることもできる。
【０００７】
取付具は固定板部の両横側端より施工面とは反対方向にバネ性支持板を形成すると共にバネ性支持板の内面に相対向して上下方向に複数の嵌合溝を並設して構成される。本発明の集水ます取付装置では、取付具の固定板部をまずビスにより施工面に固定する。この固定した取付具のバネ性支持板間にこのバネ性に抗して集水ますを介在させ、バネ性支持板の嵌合溝に集水ますの嵌合凸部を嵌合する。この場合、バネ性支持板の嵌合溝は相対向して上下方向に複数が並設されているために集水ますはその嵌合溝を選択することにより施工面からの距離を調整することができるものである。
【発明を実施するための最良の形態】
【０００８】
以下、本発明の実施形態について図面を参照して、詳細に説明する。図１は本発明における取付具示す斜視図であり、図２は図１に示す取付具の平面図であり、図３は側面図、図４は正面図である。図１乃至図４において、１は取付具、２は固定板部、３、４はバネ性支持板、５、６は嵌合溝である。
【０００９】
取付具１は固定板部２の両側端部より施工面に反する方向にバネ性支持板３、４を突出形成してなるものである。バネ性支持板３、４は相互の距離が拡縮する方向にバネ性を有するものであり、バネ性に抗して介在するものを挟着保持することができるものである。バネ性支持板３、４は内面に相対向して上下方向に複数の嵌合溝５、６を形成しており、具体的には波状折曲板で形成すれば良いものである。７はバネ性支持板３に形成された切欠支持部、８はバネ性支持板４に形成された切欠支持部である。この取付具１は固定板部２をビス孔９を通じてビスにより施工面に固着、取り付けられるものである。
【００１０】
図５は本発明における集水ますを示す正面図、図６は取付具に集水ますを保持せしめた状態を示す正面図、図７は図６における状態の平面図、図８は取付具に集水ますを異なった態様で保持せしめた状態を示す平面図である。図５において、１０は集水ます、１１は集水ます本体、１２は嵌合凸部、１３は排水落とし口である。
【００１１】
集水ます１０は上面が開口しており、集水ます本体１１の取付面１４の周縁部分に外方へ突出した鍔状フランジを形成し、鍔状フランジを外方で且つ取付面側へ傾斜させて嵌合凸部１２を形成してなるものである。嵌合凸部１２は鍔状フランジを外方で且つ取付面側へ傾斜させて形成しているために施工面に該嵌合凸部１２をビスで直接固定することができる。排水落とし口１３は竪樋が接続されるものである。
【００１２】
図６、図７において、１は取付具、１０は集水ますであり、取付具１のバネ性支持片３、４間にバネ性に抗して集水ます１０が介在し、バネ性支持板３、４の嵌合溝５、６に嵌合凸部１２が嵌合保持されている。１５は集水ます１０の上面に形成された係止鍔部であり、取付具１の切欠支持部７、８に係止され、集水ます１０の保持を確実にするものである。バネ性支持板３、４の嵌合溝５、６は複数、上下方向に相対向して並設されているために嵌合凸部１２を異なった嵌合溝５、６に嵌合すると図８に示すごとく集水ます１０の位置が変わり、排水落とし口１３の位置が調節されることになる。
【図面の簡単な説明】
【００１３】
【図１】本発明における取付具の斜視図。
【図２】図１に示す取付具の平面図。
【図３】図１に示す取付具の側面図。
【図４】図１に示す取付具の正面図。
【図５】本発明における集水ますの正面図。
【図６】本発明の実施例の正面図。
【図７】図６に示す実施例の平面図。
【図８】図６に示す実施例の異なった状態の平面図。
【符号の説明】
【００１４】
１            取付具
２            固定板部
３、４        バネ性支持板
５、６        嵌合溝
７、８        切欠支持部
９            ビス孔
１０          集水ます
１１          集水ます本体
１２          嵌合凸部
１３          排水落とし口
１４          取付面
１５          係止鍔部
【図１】
2007169933.tif 000003
【図２】
2007169933.tif 000004
【図３】
2007169933.tif 000005
【図４】
2007169933.tif 000006
【図５】
2007169933.tif 000007
【図６】
2007169933.tif 000008
【図７】
2007169933.tif 000009
【図８】
2007169933.tif 000010